(57)【要約】      （修正有）【課題】複数台のビデオカメラ、及びデジタルカメラを設置し、使用する状態に置いて、複数台のカメラ本体を連結接続でき、外部の操作デバイスから無線や有線等の通信媒体を使用し、複数台のカメラ本体を纏めて遠隔操作ができ、広範囲の映像を撮影可能な連結カメラを提供する。【解決手段】連結カメラ本体１に、カメラレンズ、接続溝、フラッシュＬＥＤ、マイク孔、液晶パネル、スピーカー、イメージセンサ、傾きセンサー、通信モジュール、記録媒体、バッテリーを備え、連結カメラ本体の各外面に接続溝を設け、連結カメラ本体の接続溝と接続コネクタ本体８の接続ピンで、連結カメラ本体と接続コネクタ本体８を相互に連結接続し、連結カメラ本体にある通信モジュールと、スマートフォンやＰＣ等の外部の操作デバイスの通信媒体から、複数台の連結カメラ本体を起動操作し、各種の動作制御する。【選択図】図８
2017187727.tif 000002
【特許請求の範囲】
【請求項１】
連結カメラ本体に、カメラレンズ、接続溝、フラッシュＬＥＤ、マイク孔、液晶パネル、スピーカー、イメージセンサ、傾きセンサー、通信モジュール、記録媒体、バッテリーを備え、連結カメラ本体の各外面に接続溝を設け、連結カメラ本体の接続溝と接続コネクタ本体の接続ピンで、連結カメラ本体と接続コネクタ本体を相互に連結接続し、連結カメラ本体にある通信モジュールと、スマートフォンやＰＣ等の外部の操作デバイスの通信媒体から、複数台の連結カメラ本体を起動操作し、各種の動作制御する事を特徴とする連結接続可能な連結カメラ本体。
【発明の詳細な説明】
【技術分野】
【０００１】  本考案は、ビデオカメラやデジタルカメラに関する。
【背景技術】
【０００２】  昨今のビデオカメラやデジタルカメラは、スマートフォンやＰＣ、ネットインフラの発達、無線技術等の向上により、スマートフォンやＰＣ等による外部の操作デバイスからのカメラの遠隔操作や、複数台のカメラを連動して操作する事が可能となっている。
【発明の開示】
【発明が解決しようとする課題】
【０００３】  複数台のビデオカメラ、及びデジタルカメラを設置し、使用する状態に置いて、複数台のカメラ本体を連結接続でき、外部の操作デバイスから無線や有線等の通信媒体を使用し、外部の操作デバイスから複数台のカメラ本体を纏めて遠隔操作ができ、複数台のビデオカメラ、及びデジタルカメラを使用して、広範囲の映像を撮影可能な連結カメラを提供する。
【課題を解決する為の手段】
【０００４】  連結カメラ本体１に、カメラレンズ２、接続溝３、フラッシュＬＥＤ４、マイク孔５、液晶パネル６、スピーカー、イメージセンサ、傾きセンサー、通信モジュール、記録媒体、バッテリーを備え、連結カメラ本体１の各外面に接続溝３を設け、連結カメラ本体１の接続溝３と接続コネクタ本体８の接続ピン１０で、連結カメラ本体１と接続コネクタ本体８を相互に連結接続し、連結カメラ本体１にある通信モジュールと、スマートフォンやＰＣ等の外部の操作デバイスの通信媒体から、複数台の連結カメラ本体１を起動操作し、各種の動作制御する事を特徴とする連結接続可能な連結カメラ本体１。
【発明の効果】
【０００５】  複数の連結カメラ本体１を、別の連結カメラ本体１や、ダミーブロック本体１１、エルボーブロック本体１２と、接続コネクタ本体８を介し、連結接続して組み合わせる事により、様々な範囲の映像を入手する事ができる。
【０００６】  （図８）は複数台の連結カメラ本体１ａ〜１ｄと接続コネクタ本体８ａ〜８ｃを組み合わせ、横に連結カメラ本体１ａ〜１ｄを連結接続した状態を示した正面図である。
【０００７】  連結カメラ本体１ａ〜１ｄの四台の連結カメラを、横一列に連結接続する事で、連結カメラ本体１ａ〜１ｄの四台分の横範囲での長いパノラマ映像を撮影入手する事が可能となる。
【０００８】  （図８）の複数台の連結カメラ本体１を、更に縦横並列に連続して連結接続する事で、広範囲の撮影映像を入手する事ができる。
【０００９】  例えば、窓枠に沿った配置で、複数台の連結カメラ本体１ａ〜１ｎを、縦横並列に連続して配置し、撮影する事で、複数台の連結カメラ本体１ａ〜１ｎを縦横並列に連続して配置した広範囲での窓枠から入る映像を、撮影入手する事ができる。
【００１０】  （０００９）によって、カフェやレストランなどの窓枠に配置する事により、窓枠からの景色や、観光名所の窓枠からの景色を各種リアルタイムで撮影入手する事ができる。
【００１１】  （００１０）で入手したリアルタイムの撮影映像などを、ＰＣ等のインターネット環境を使用できる機器の通信媒体等を用い、テレビやインターネットの動画でライブ中継ができる。
【００１２】  連結カメラ本体１を、１ａ〜１ｎ個分接続が可能であるため、連結カメラ本体１をｎ個分用意する事により、通常のカメラでは撮影できない特殊な映像範囲を纏めて撮影入手できる。
【００１３】  （図９）は複数台の連結カメラ本体１と、エルボーブロック本体１２を、接続コネクタ８を介し連結接続し、円状に組み立てた状態を示した上面図である。
【００１４】  複数台の連結カメラ本体１とエルボーブロック本体１２は円状に組み立てられ、カメラレンズ２はそれぞれ外周に沿った向きで配置されている。
【００１５】  各連結カメラ本体１のカメラレンズ２は、円状で外周に沿った向きで配置されている為、四台の連結カメラ本体１で、３６０度のパノラマの範囲で同時に撮影する事が可能となっている。
【００１６】  また、カメラレンズ２の位置を全て外周から内側に沿った向きで配置することで、内側にある物体を３６０度の範囲から同時に撮影ができる。
【００１７】  複数のダミーブロック本体１１と、エルボーブロック本体１２を球状に組み立てるか、あるいは、一定の間隔で球状に複数の接続溝３を設けた球状のダミーブロック本体１１を使用する事で、球状のダミーブロック本体１１に複数の連結カメラ本体１を連続して配置ができ、３６０の全範囲で撮影が可能となる。
【００１８】  接続溝３は、内側の内円周が一定の角度ずつ段差状に刻まれており、接続コネクタ本体８の接続ピン１０を差し込む場合に、接続ピン１０が内円周の各段差毎にロックされる構造になっており、接続ピン１０の差込角度の位置を変えることで、一定の角度ずつ調整できるようになっている。
【００１９】  （００１８）によって、連結カメラ本体１の角度を、接続溝３と接続コネクタ本体８の接続ピン１０の差込角度の位置にて各種調整できる構造になる。
【００２０】  連結カメラ本体１の背面にある液晶パネル６が不要な場所では、背面にある液晶パネル６の替わりに、背面に接続溝３を設けても良い。
【００２１】  更に背面に接続溝３を設ける場合に、接続溝３の中心部に電源コネクタを設けても良い。
【００２２】  （００２１）によって、ボードに連結カメラ本体１の貼り付けに必要な接続溝３を設け、連結カメラ本体１の背面に設けた接続溝３とボードに設けた接続溝３へ、接続コネクタ本体８を介し、連結接続ができる。
【発明を実地する為の最良の形態】
【００２３】  連結カメラ本体１はカメラレンズ２、接続溝３、フラッシュＬＥＤ４、マイク孔５、液晶パネル６、スピーカー、イメージセンサ、傾きセンサー、通信モジュール、記録媒体、バッテリーで構成される。
【００２４】  接続コネクタ本体８は押し込みスイッチ９、接続ピン１０で構成される。
【００２５】  押し込みスイッチ９は、内部のバネで反発するようになっており、押し込みスイッチ９を押し込むと、それに連動して接続ピン１０も一時的に押し込まれる。
【００２６】  この押し込みスイッチ９を離す動作により、内部のバネが反発し、接続ピン１０も元の位置に戻るが、この弾力を利用して、接続コネクタ本体８の接続ピン１０と連結カメラ本体１の接続溝３とを接続固定するようになっている。
【００２７】  連結カメラ本体１の上面下面両側面には、接続溝３が設けられており、接続溝３は、内側の内円周が一定の角度ずつ段差状に刻まれており、接続コネクタ本体８の接続ピン１０を差し込む場合に、接続ピン１０が各段差毎にロックされる構造になっており、一定の角度ずつ回転位置を調整できるようになっている。
【００２８】  ダミーブロック本体１１や、エルボーブロック本体１２の全ての面には、接続溝３が設けられている。
【００２９】  連結カメラ本体１を、一定間隔で離して使用する場合や、特定の形に組み立てる場合に、このダミーブロック本体１１やエルボーブロック本体１２を使用する。
【００３０】  連結カメラ本体１の接続溝３を、接続コネクタ本体８を介し、他の連結カメラ本体１の接続溝３や、ダミーブロック本体１１、エルボーブロック本体１２等の接続溝３と複数接続し、組み立てる事で、様々な形の範囲の映像を入手する事ができる。
【００３１】  連結カメラ本体１の背面にある液晶パネル６で映像の確認、操作、もしくは、連結カメラ本体１の無線モジュールを使用して、他のデジタルデバイスからの映像の確認、操作ができる。
【００３２】  連結カメラ本体１で撮影された映像は、連結カメラ本体１内部の記録媒体、もしくは通信モジュールを使用して外部のデジタルデバイスに記録保存される。
【００３３】  連結カメラ本体１の背面にある液晶パネル６、スピーカーが不要な場合は、液晶パネル６、スピーカー７の替わりに、接続溝３を設けてもよい。
【００３４】  バッテリーへの充電、もしくは連結カメラ本体１の電源用に電源コネクタを使用する。
【００３５】  電源コネクタの位置は  連結カメラ本体１の使用用途により多少変える必要がある為、限定しない物とするが背面の方が望ましい。
【００３６】  連結カメラ本体１の背面で接続溝３を設ける場合には、電源コネクタ用に接続コネクタ８の中心部に、通し用の穴を設ける必要がある。
【００３７】  連結カメラ本体１の有線での充電が煩わしい場合には、無線充電を使用しても良い。
【００３８】  接続溝３の中心部に三脚固定用のネジ穴を設けても良い。
【図面の簡単な説明】
【００３９】
【図１】  連結カメラ本体を示した正面図である。
【図２】  連結カメラ本体を示した背面図である。
【図３】  連結カメラ本体を示した側面図である。
【図４】  接続コネクタ本体を示した側面図である。
【図５】  接続コネクタ本体を示した正面図である。
【図６】  ダミーブロック本体を示した正面図である。
【図７】  エルボーブロック本体を示した側面図である。
【図８】  複数の連結カメラ本体と接続コネクタ本体を横に連結した状態を示した正面図である。
【図９】  複数の連結カメラ本体とエルボーブロック本体を連結し円状に組み立てた状態を示した上面図である。
【符号の説明】
【００４０】１  連結カメラ
２  カメラレンズ
３  接続溝
４  フラッシュＬＥＤ
５  マイク孔
６  液晶パネル
７  スピーカー
８  接続コネクタ本体
９  押し込みスイッチ
１０  接続ピン
１１  ダミーブロック本体
１２  エルボーブロック本体
【図１】
2017187727.tif 000003
【図２】
2017187727.tif 000004
【図３】
2017187727.tif 000005
【図４】
2017187727.tif 000006
【図５】
2017187727.tif 000007
【図６】
2017187727.tif 000008
【図７】
2017187727.tif 000009
【図８】
2017187727.tif 000010
【図９】
2017187727.tif 000011